(57)【特許請求の範囲】
【請求項１】
推奨の撮影スポットを案内する撮影案内装置にネットワークを介して接続可能な撮像装置であって、
撮影実行が指示されたか否かを判別する撮影判別手段と、
この撮影判別手段により撮影実行が指示されたと判別された場合に、その撮影位置としての現在位置の近隣に推奨の撮影スポットが存在しているか否かの問い合わせを前記撮影案内装置に対して行う問合手段と、
この問合手段による問い合わせに応答して前記撮影案内装置からの問い合わせ結果として、前記推奨の撮影スポットで撮影された撮影画像を受信した場合に、前記推奨の撮影スポットで撮影された撮影画像を案内出力するほか、前記現在位置で撮影された撮影画像を比較対象の画像として案内出力する出力手段と、
を備えることを特徴とする撮像装置。
【請求項２】
前記問合手段による問い合わせに応答して前記撮影案内装置からその問い合わせ結果を受信した場合に、前記現在位置から所定の範囲内に推奨の撮影スポットが存在しているか否かを判別する範囲判別手段を更に備え、
前記出力手段は、前記範囲判別手段により前記現在位置から所定の範囲内に推奨の撮影スポットが存在していることが判別された場合に、その撮影スポットに関する情報を案内出力する、
ようにしたことを特徴とする請求項１記載の撮像装置。
【請求項３】
前記所定の範囲をユーザ操作により任意に設定する設定手段を更に備える、
ようにしたことを特徴とする請求項２記載の撮像装置。
【請求項４】
前記撮影判別手段により撮影実行が指示されたと判別された場合に、その撮影位置として現在位置を取得する位置取得手段を更に備え、
前記問合手段は、前記位置取得手段により取得した現在位置を含む情報を前記撮影案内装置に送信することにより該現在位置の近隣に推奨の撮影スポットが存在しているかを問い合わせる、
ようにしたことを特徴とする請求項１記載の撮像装置。
【請求項５】
前記推奨の撮影スポットで撮影された撮影画像と前記現在位置で撮影された撮影画像のいずれかを選択する選択手段を更に備える、
ようにしたことを特徴とする請求項１記載の撮像装置。
【請求項６】
前記推奨の撮影スポットで撮影された撮影画像が前記選択手段により選択された場合に、前記現在位置から前記推奨の撮影スポットまでの経路を取得する取得手段を更に備え、
前記出力手段は、更に前記取得手段により取得した経路を案内出力する、
ようにしたことを特徴とする請求項５記載の撮像装置。
【請求項７】
前記経路が案内された推奨の撮影スポットで撮影された撮影画像を前記撮影案内装置に送信する第１の送信手段を更に備える、
ようにしたことを特徴とする請求項６記載の撮像装置。
【請求項８】
前記現在位置で撮影された撮影画像が前記選択手段により選択された場合に、その撮影画像をその撮影位置である現在位置と共に前記撮影案内装置に送信する第２送信手段を更に備える、
ようにしたことを特徴とする請求項５記載の撮像装置。
【請求項９】
前記推奨の撮影スポットと前記現在位置とが一致した際に、前記出力手段は、その旨を案内出力する、
ようにしたことを特徴とする請求項１記載の撮像装置。
【請求項１０】
前記推奨の撮影スポットと前記現在位置とが一致した際に、前記現在位置で撮影された撮影画像をその現在位置と共に前記撮影案内装置に送信する第３送信手段を更に備える、
ようにしたことを特徴とする請求項９記載の撮像装置。
【請求項１１】
推奨の撮影スポットを案内する撮影案内装置と、この撮影案内装置にネットワークを介して接続可能な撮像装置とを備える撮影案内システムであって、
前記撮像装置により撮影が実行されたか否かを判別する撮影判別手段と、
この撮影判別手段により撮影が実行されたと判別された場合に、その撮影位置として現在位置を取得する位置取得手段と、
この位置取得手段により取得した現在位置の近隣に推奨の撮影スポットが存在しているか否かを判別する撮影スポット判別手段と、
この撮影スポット判別手段により推奨の撮影スポットが存在していると判別された場合に、その撮影スポットに関する情報としてその撮影スポットで撮影された撮影画像を案内情報として前記撮像装置に送信する送信手段と、
前記撮像装置で、前記推奨の撮影スポットで撮影された撮影画像を受信して案内出力するほか、前記現在位置で撮影された撮影画像を比較対象の画像として案内出力する出力手段と、
を備えることを特徴とする撮影案内システム。
【請求項１２】
前記撮像装置は、前記推奨の撮影スポットで撮影された撮影画像と前記現在位置で撮影された撮影画像とが比較対象として案内表示されている状態において、そのいずれかの画像がユーザ操作により選択された場合に、その選択された撮影画像が前記現在位置で撮影された撮影画像であれば、その撮影画像を前記撮影案内装置に送信し、
前記撮影案内装置は、前記撮像装置から前記現在位置で撮影された撮影画像を受信した場合に、その現在位置が推奨の撮影スポットとして既に登録されているか否かを判別し、登録されていなければ、前記現在位置で撮影された撮影画像を新規登録する、
ようにしたことを特徴とする請求項１１記載の撮影案内システム。
【請求項１３】
前記撮像装置は、前記推奨の撮影スポットで撮影された撮影画像と前記現在位置で撮影された撮影画像とが比較対象として案内表示されている状態において、そのいずれかの画像がユーザ操作により選択された場合に、その選択された撮影画像が前記推奨の撮影スポットで撮影された撮影画像であれば、推奨の撮影スポットが選択されたことを示す情報を前記撮影案内装置に送信し、
前記撮影案内装置は、前記推奨の撮影スポットが選択されたことを示す情報を前記撮像装置から受信した場合に、その撮影スポットで撮影された撮影画像に対する評価値を更新する、
ようにしたことを特徴とする請求項１１記載の撮影案内システム。
【請求項１４】
コンピュータに対して、
推奨の撮影スポットを案内する撮影案内装置にネットワークを介して接続可能な撮像装置により撮影実行が指示されたか否かを判別する機能と、
前記撮影実行が指示されたと判別された場合に、現在位置の近隣に推奨の撮影スポットが存在しているか否かの問い合わせを前記撮影案内装置に対して行う機能と、
前記問い合わせに応答して前記撮影案内装置からの問い合わせ結果として、前記推奨の撮影スポットで撮影された撮影画像を受信した場合に、前記推奨の撮影スポットで撮影された撮影画像を案内出力するほか、前記現在位置で撮影された撮影画像を比較対象の画像として案内出力する機能と、
を実現させるためのプログラム。
【請求項１５】
コンピュータに対して、
推奨の撮影スポットを案内する撮影案内装置にネットワークを介して接続可能な撮像装置により撮影が実行されたか否かを判別する機能と、
前記撮像装置により撮影が実行されたと判別された場合に、その撮影位置として現在位置を取得する機能と、
前記取得した現在位置の近隣に推奨の撮影スポットが存在しているか否かを判別する機能と、
前記現在位置の近隣に推奨の撮影スポットが存在していると判別された場合に、その撮影スポットに関する情報としてその撮影スポットで撮影された撮影画像を案内情報として前記撮像装置に送信する機能と、
前記撮像装置で、前記推奨の撮影スポットで撮影された撮影画像を受信して案内出力するほか、前記現在位置で撮影された撮影画像を比較対象の画像として案内出力する機能と、
を実現させるためのプログラム。
【発明の詳細な説明】
【技術分野】
【０００１】
本発明は、推奨の撮影スポットを案内する撮影案内装置にネットワークを介して接続可能な撮像装置及び撮影案内システム並びにプログラムに関する。
【背景技術】
【０００２】
近年、携帯電話機にカメラ機能が搭載されている機種が多く、カメラが常時携帯されることになり、いつでも、どこでも自由に撮影することが可能となってきている。ところが、例えば、知らない場所では、常により良い写真（ベストスポットの写真）を撮影できるとは限らず、観光地などでは、名所が近くにあっても通り過ぎてしまったり、間違ったりすることが多く、ベストスポットの写真を撮影できないことがあった。
そこで、従来では、現在位置、現在時刻、天候などに応じて好適な撮影情報を提示するようにした技術が開示されている（特許文献１参照）。
【先行技術文献】
【特許文献】
【０００３】
【特許文献１】特開２００９−４９４７６号公報
【発明の概要】
【発明が解決しようとする課題】
【０００４】
しかしながら、上述した先行技術にあっては、静止画又は動画の撮影を行う撮影者に対して、現在日時及び現在位置、撮影者が入力した現在の天候に基づいて撮影に好適な撮影場所を提示するようにしたものであるが、ユーザにあっては、観光地などにおいて、ベストスポットを探し出すことを常に意識しておかなければならず、名所などがありそうな場所で、ユーザ操作により案内要求を行って、天候をキー入力する必要があり、ユーザに大きな負担をかけるという問題が残る。また、ベストスポットといっても個人差があり、ベストスポットとして案内されてその場所に出向いたとしても、ユーザにとって自分の好みに合わないこともある。
【０００５】
本発明の課題は、ユーザに対して特別な操作を要求することなく、現在位置の近隣に存在している推奨の撮影スポットに関する情報を適切に案内できるようにすることである。
【課題を解決するための手段】
【０００６】
上述した課題を解決するために請求項１記載の発明は、推奨の撮影スポットを案内する撮影案内装置にネットワークを介して接続可能な撮像装置であって、撮影実行が指示されたか否かを判別する撮影判別手段と、この撮影判別手段により撮影実行が指示されたと判別された場合に、その撮影位置としての現在位置の近隣に推奨の撮影スポットが存在しているか否かの問い合わせを前記撮影案内装置に対して行う問合手段と、この問合手段による問い合わせに応答して前記撮影案内装置からの問い合わせ結果として、前記推奨の撮影スポットで撮影された撮影画像を受信した場合に、前記推奨の撮影スポットで撮影された撮影画像を案内出力するほか、前記現在位置で撮影された撮影画像を比較対象の画像として案内出力する出力手段と、を備えることを特徴とする。
【０００７】
請求項１に従属する発明として、前記問合手段による問合わせに応答して前記撮影案内装置からその問い合わせ結果を受信した場合に、前記現在位置から所定の範囲内に推奨の撮影スポットが存在しているか否かを判別する範囲判別手段を更に備え、前記出力手段は、前記範囲判別手段により前記現在位置から所定の範囲内に推奨の撮影スポットが存在していることが判別された場合に、その撮影スポットに関する情報を案内出力する、ようにしたことを特徴とする請求項２記載の発明であってもよい。
【０００８】
請求項２に従属する発明として、前記所定の範囲をユーザ操作により任意に設定する設定手段を更に備える、ようにしたことを特徴とする請求項３記載の発明であってもよい。
【０００９】
請求項１に従属する発明として、前記撮影判別手段により撮影実行が指示されたと判別された場合に、その撮影位置として現在位置を取得する位置取得手段を更に備え、前記問合手段は、前記位置取得手段により取得した現在位置を含む情報を前記撮影案内装置に送信することにより該現在位置の近隣に推奨の撮影スポットが存在しているかを問い合わせる、ようにしたことを特徴とする請求項４記載の発明であってもよい。
【００１２】
請求項１に従属する発明として、前記推奨の撮影スポットで撮影された撮影画像と前記現在位置で撮影された撮影画像のいずれかを選択する選択手段を更に備える、ようにしたことを特徴とする請求項５記載の発明であってもよい。
【００１３】
請求項５に従属する発明として、前記推奨の撮影スポットで撮影された撮影画像が前記選択手段により選択された場合に、前記現在位置から前記推奨の撮影スポットまでの経路を取得する取得手段を更に備え、前記出力手段は、更に前記取得手段により取得した経路を案内出力する、ようにしたことを特徴とする請求項６記載の発明であってもよい。
【００１４】
請求項６に従属する発明として、前記経路が案内された推奨の撮影スポットで撮影された撮影画像を前記撮影案内装置に送信する第１の送信手段を更に備える、ようにしたことを特徴とする請求項７記載の発明であってもよい。
【００１５】
請求項５に従属する発明として、前記現在位置で撮影された撮影画像が前記選択手段により選択された場合に、その撮影画像をその撮影位置である現在位置と共に前記撮影案内装置に送信する第２送信手段を更に備える、ようにしたことを特徴とする請求項８記載の発明であってもよい。
【００１６】
請求項１に従属する発明として、前記推奨の撮影スポットと前記現在位置とが一致した際に、前記出力手段は、その旨を案内出力する、ようにしたことを特徴とする請求項９記載の発明であってもよい。
【００１７】
請求項９に従属する発明として、前記推奨の撮影スポットと前記現在位置とが一致した際に、前記現在位置で撮影された撮影画像をその現在位置と共に前記撮影案内装置に送信する第３送信手段を更に備える、ようにしたことを特徴とする請求項１０記載の発明であってもよい。
【００１８】
また、上述した課題を解決するために請求項１１記載の発明は、推奨の撮影スポットを案内する撮影案内装置と、この撮影案内装置にネットワークを介して接続可能な撮像装置とを備える撮影案内システムであって、前記撮像装置により撮影が実行されたか否かを判別する撮影判別手段と、この撮影判別手段により撮影が実行されたと判別された場合に、その撮影位置として現在位置を取得する位置取得手段と、この位置取得手段により取得した現在位置の近隣に推奨の撮影スポットが存在しているか否かを判別する撮影スポット判別手段と、この撮影スポット判別手段により推奨の撮影スポットが存在していると判別された場合に、その撮影スポットに関する情報としてその撮影スポットで撮影された撮影画像を案内情報として前記撮像装置に送信する送信手段と、前記撮像装置で、前記推奨の撮影スポットで撮影された撮影画像を受信して案内出力するほか、前記現在位置で撮影された撮影画像を比較対象の画像として案内出力する出力手段と、を備えることを特徴とする。
【００２０】
請求項１１に従属する発明として、前記撮像装置は、前記推奨の撮影スポットで撮影された撮影画像と前記現在位置で撮影された撮影画像とが比較対象として案内表示されている状態において、そのいずれかの画像がユーザ操作により選択された場合に、その選択された撮影画像が前記現在位置で撮影された撮影画像であれば、その撮影画像を前記撮影案内装置に送信し、前記撮影案内装置は、前記撮像装置から前記現在位置で撮影された撮影画像を受信した場合に、その現在位置が推奨の撮影スポットとして既に登録されているか否かを判別し、登録されていなければ、前記現在位置で撮影された撮影画像を新規登録する、ようにしたことを特徴とする請求項１２記載の発明であってもよい。
【００２１】
請求項１１に従属する発明として、前記撮像装置は、前記推奨の撮影スポットで撮影された撮影画像と前記現在位置で撮影された撮影画像とが比較対象として案内表示されている状態において、そのいずれかの画像がユーザ操作により選択された場合に、その選択された撮影画像が前記推奨の撮影スポットで撮影された撮影画像であれば、推奨の撮影スポットが選択されたことを示す情報を前記撮影案内装置に送信し、前記撮影案内装置は、前記推奨の撮影スポットが選択されたことを示す情報を前記撮像装置から受信した場合に、その撮影スポットで撮影された撮影画像に対する評価値を更新する、ようにしたことを特徴とする請求項１３記載の発明であってもよい。
【００２２】
また、上述した課題を解決するために請求項１４記載の発明は、コンピュータに対して、推奨の撮影スポットを案内する撮影案内装置にネットワークを介して接続可能な撮像装置により撮影実行が指示されたか否かを判別する機能と、前記撮影実行が指示されたと判別された場合に、現在位置の近隣に推奨の撮影スポットが存在しているか否かの問い合わせを前記撮影案内装置に対して行う機能と、前記問い合わせに応答して前記撮影案内装置からの問い合わせ結果として、前記推奨の撮影スポットで撮影された撮影画像を受信した場合に、前記推奨の撮影スポットで撮影された撮影画像を案内出力するほか、前記現在位置で撮影された撮影画像を比較対象の画像として案内出力する機能と、を実現させるためのプログラムであることを特徴とする。
【００２３】
また、上述した課題を解決するために請求項１５記載の発明は、コンピュータに対して、推奨の撮影スポットを案内する撮影案内装置にネットワークを介して接続可能な撮像装置により撮影が実行されたか否かを判別する機能と、前記撮像装置により撮影が実行されたと判別された場合に、その撮影位置として現在位置を取得する機能と、前記取得した現在位置の近隣に推奨の撮影スポットが存在しているか否かを判別する機能と、前記現在位置の近隣に推奨の撮影スポットが存在していると判別された場合に、その撮影スポットに関する情報としてその撮影スポットで撮影された撮影画像を案内情報として前記撮像装置に送信する機能と、前記撮像装置で、前記推奨の撮影スポットで撮影された撮影画像を受信して案内出力するほか、前記現在位置で撮影された撮影画像を比較対象の画像として案内出力する機能と、を実現させるためのプログラムであることを特徴とする。
【発明の効果】
【００２４】
本発明によれば、ユーザに対して特別な操作を要求することなく、現在位置の近隣に存在している推奨の撮影スポットに関する情報を適切に案内することができ、実用性に富んだものとなる。
【図面の簡単な説明】
【００２５】
【図１】推奨の撮影スポットを案内する撮影案内装置（サーバ装置）と、この撮影案内装置にネットワークを介して接続可能な撮像装置（カメラ機能付き携帯電話機）とを備える撮影案内システムを示したブロック図。
【図２】サーバ装置３側に設けられている撮影情報データベースＰＢを説明するための図。
【図３】携帯電話機１側において現在位置で撮影された撮影画像（携帯電話機１側で撮影した画像）と、現在位置の近隣に存在する推奨の撮影スポットで撮影された撮影画像（サーバ装置３側から受信した画像）とを比較対象として案内表示する案内画面を説明するための図。
【図４】撮影案内システムを構成する携帯電話機１側の全体動作の概要を示したメインフローチャート。
【図５】図４に続く動作を示したフローチャート。
【図６】推奨スポット撮影処理（図５のステップＡ２８）を詳述するためのフローチャート。
【図７】撮影案内システムを構成するサーバ装置３側の全体動作の概要を示したフローチャート。
【発明を実施するための形態】
【００２６】
以下、図１〜図７を参照して本発明の実施形態を説明する。
図１は、推奨の撮影スポットを案内する撮影案内装置（サーバ装置）と、この撮影案内装置にネットワークを介して接続可能な撮像装置（カメラ機能付き携帯電話機）とを備える撮影案内システムを示したブロック図である。
この撮影案内システムは、撮像装置（カメラ機能付き携帯電話機）の現在位置の近隣に存在している推奨の撮影スポットに関する情報を案内するサービスを提供する広域通信システムで、この案内サービスを利用する会員ユーザ側のカメラ機能付き携帯電話機１は、無線通信網２を介して通信事業者側のサーバ装置３に接続されている。
【００２７】
携帯電話機１は、上述の撮影案内システムを構成する撮像装置として適用したもので、音声通話機能、電子メール機能、インターネット接続機能（Ｗｅｂアクセス機能）などのほか、撮影スポット案内機能、撮像機能（カメラ機能）、経路案内機能（ナビゲーション機能）を有している。ここで、撮影スポット案内機能は、現在位置の近隣に存在している推奨の撮影スポットをユーザに案内表示する機能である。経路案内機能は、この撮影スポット案内機能により撮影スポットが案内表示された場合に、現在位置から撮影スポットまでの経路を案内表示するもので、現在位置より撮影スポット（目的地点）までの経路地図を受信取得して、この地図上に進行方向を表示させたり、右左折時を音声出力させたりしながら経路案内を行う。なお、携帯電話機１は、図示しないが、無線通信網２を介してナビゲーションサービスを提供するナビゲーション管理サーバ側に接続されている。
【００２８】
携帯電話機１は、最寄りの基地局や交換機を介して無線通信網２に接続されると、他の携帯電話機（図示省略）との間で通話可能な状態となったり、電子メールの送受信が可能となり、また、図示しないインターネットに接続されると、Ｗｅｂページなどの情報を受信して閲覧可能となったりする。サーバ装置３は、撮影案内システムを構成する撮影案内装置として適用したもので、例えば、日本全国の各観光地や名所などでの推奨の撮影スポットを集中管理すると共に、その内容を更新したりするもので、携帯電話機１からの問い合わせに応じて推奨の撮影スポットに関する情報を案内情報として問い合わせ元の携帯電話機１に対して送信するサービスを行う。
【００２９】
携帯電話機１は、制御部１１を中核とするもので、この制御部１１は、二次電池を備えた電源部１２からの電力供給によって動作し、記憶部１３内の各種のプログラムに応じてこの携帯電話機の全体動作を制御する。この制御部１１にはＣＰＵ（中央演算処理装置）やメモリなどが設けられている。記憶部１３は、ＲＯＭ、ＲＡＭなどの内部メモリで、プログラム領域とデータ領域とを有し、このプログラム領域には、後述する図４〜図６に示す動作手順に応じて本実施形態を実現するためのプログラムが格納されている。また、記憶部１３のデータ領域には、フラグ情報、画面情報、この携帯電話機の動作に必要な各種の情報が一時記憶されているほか、画像フォルダＰＦなどが記憶されている。なお、記憶部１３は、例えば、ＳＤカード、ＩＣカードなど、着脱自在な可搬型メモリ（記録メディア）を含む構成であってもよく、図示しない所定の外部サーバ上にあってもよい。
【００３０】
操作部１４は、図示しないが、押しボタン型の十字キー（決定キーやカーソルキー）、数値キー／文字キー、メニューキー、シャッターキーなど、各種のキーを備え、ダイヤル入力、テキスト入力、コマンド入力などを行うもので、制御部１１は、この操作部１４からのキー操作信号に応じた処理として、例えば、発信処理、文章作成処理、カメラ起動処理などを行う。なお、この実施形態においては、操作部１４の各キーを押しボタン型のキー（ハードキー）としたが、勿論、タッチスクリーン上のタッチキー（ソフトキー）で構成したものであってもよい。表示部１５は、例えば、高精細液晶や有機ＥＬ（Electro Luminescence）などを使用したもので、例えば、待受画像、アイコン、撮影画像、メール、Ｗｅｂページなどを表示するもので、カメラ機能の動作時に表示部１５は、モニタ画面（ファインダ画面）として利用される。
【００３１】
無線通信部１６は、無線部、ベースバンド部、多重分離部などを備え、例えば、通話機能、電子メール機能、インターネット接続機能の動作時に最寄りの基地局との間でデータの送受信を行うもので、通話機能の動作時にはベースバンド部の受信側から信号を取り込んで受信ベースバンド信号に復調して制御部１１に対して出力すると、制御部１１は、電話部１７を介して通話用スピーカＳＰから音声出力させる。また、通話用マイクＭＣからの入力音声データが電話部１７から制御部１１を介して供給されると、無線通信部１６は、送信ベースバンド信号に符号化したのち、ベースバンド部の送信側に与えてアンテナＡＴ１から送信させる。
【００３２】
撮像部１８は、上述したカメラ機能の構成要素で、静止画撮影のほかに動画撮影も可能な構成となっている。そして、撮像部１８は、撮影レンズ１８ａ、絞り機構１８ｂ、ＣＣＤあるいはＣＭＯＳなどの撮像素子１８ｃ、光学系駆動部１８ｄなどのほか、図示省略したが、照明用のフラッシュ、アナログ処理回路、信号処理回路、圧縮伸張回路などを備え、オートフォーカス機能（ＡＦ機能）、露出調整機能（ＡＥ機能）、光学ズーム機能などを制御するようにしている。この撮像部１８により撮影が実行されると、制御部１１は、その撮影位置として位置取得部１９から現在位置を取得してサーバ装置３に送信するようにしている。位置取得部１９は、ＧＰＳ（Global Positioning System）を構成するもので、ＧＰＳ情報（位置情報）を受信して現在位置を取得する。サウンドスピーカ２０は、着信音を発生したり、音楽を再生したり、音声案内メッセージを発生したりする。
【００３３】
サーバ装置３は、制御部３１を中核とするもので、記憶部３２、通信部３３、操作部３４などを有する構成となっている。制御部３１は、記憶部３２内の各種のプログラムに応じてこのサーバ装置３の全体動作を制御するもので、この制御部３１にはＣＰＵ（中央演算処理装置）やメモリなどが設けられている。記憶部３２は、ＲＯＭ、ＲＡＭなどの内部メモリで、プログラム領域とデータ領域とを有し、このプログラム領域には、後述する図７に示す動作手順に応じて本実施形態を実現するためのプログラムが格納されている。また、データ領域には、推奨の撮影スポットに関する情報を記憶する撮影情報データベースＰＢが設けられている。通信部３３は、無線通信網２を介して携帯電話機１との間でデータ通信を行う。操作部３４は、各種のキーを備え、データ入力やコマンド入力を行うもので、撮影情報データベースＰＢの編集を指示したり、その内容を編集したりする。
【００３４】
図２は、サーバ装置３側に設けられている撮影情報データベースＰＢを説明するための図である。
撮影情報データベースＰＢは、日本全国の各観光地や名所などでの推奨の撮影スポットを記憶管理するもので、「画像ＩＤ」、「撮影スポット」、「撮影画像Ｎｏ．」、「評価値」を記憶する構成となっている。「画像ＩＤ」は、画像を識別するための一連Ｎｏ．である。「撮影スポット（推奨スポット）」は、好適な撮影スポット（ベストスポット）として推奨する撮影ポイント（位置情報）であり、「撮影画像Ｎｏ．」は、その撮影スポットで撮影された好適な撮影画像が記憶されている画像ファイルをアクセスするための画像ファイル番号である。
【００３５】
「撮影スポット」と「撮影画像Ｎｏ．」とは、１対１に限らず、１つの「撮影スポット」に対して複数の「撮影画像Ｎｏ．」を記憶可能としている。「評価値」は、撮影画像に対するユーザの評価値であり、その「評価値」が一定値（例えば、５点）以上であれば、それに対応する「撮影画像Ｎｏ．」で示される撮影画像を推奨対象の画像（推奨する撮影ポイントで撮影された撮影画像）とするようにしている。なお、「撮影スポット」に対応する「撮影画像Ｎｏ．」が複数記憶されている場合には、「撮影画像Ｎｏ．」毎に、その撮影画像の「評価値」を記憶するようにしている。このように構成された撮影情報データベースＰＢの内容は、通信事業者側で作成されて登録された情報のほか、会員ユーザである携帯電話機１側から任意に受信して登録された情報であり、常時、その内容が更新されて最新の内容となるようにしている。
【００３６】
図３は、携帯電話機１側において現在位置で撮影された撮影画像（携帯電話機１側で撮影した画像）と、現在位置の近隣に存在する推奨の撮影スポットで撮影された撮影画像（サーバ装置３側から受信した画像）とを比較対象として案内表示する案内画面を説明するための図である。
この案内画面において、図中、左側の画像は、現在位置で撮影された撮影画像（携帯電話機１側で撮影された撮影画像）を示し、右側の画像は、撮影スポットで撮影された撮影画像（サーバ装置３側から受信した撮影画像）を示している。この案内画面には、ユーザにどちらかの画像を選択させるために、比較対象の各画像に対応して、選択ボタン（タッチキー）ＢＴ１、ＢＴ２が１対１の関係で配設されている。
【００３７】
携帯電話機１は、観光地などで撮影を行うと、その撮影位置としての現在位置を、無線通信網２を介してサーバ装置３に送信することにより現在位置の近隣に推奨の撮影スポット（以下、推奨スポットと略称する）が存在しているか否かの問い合わせを行うようにしている。サーバ装置３は、この問い合わせに応答して、携帯電話機１から受信した現在位置（撮影位置）に基づいて撮影情報データベースＰＢを検索し、この現在位置（撮影位置）の近隣に推奨スポットが存在しているか否かを判別し、その判別結果を問い合わせ元の携帯電話機１に送信するようにしている。
【００３８】
この場合、サーバ装置３は、その判別結果（問い合わせ結果）として推奨スポットを送信し、その後、この推奨スポットでの撮影画像を問い合わせ元の携帯電話機１に送信するようにしているが、その判別結果（問い合わせ結果）として推奨スポットと共にその推奨スポットでの撮影画像を同時に送信するようにしてもよい。携帯電話機１は、サーバ装置３から推奨スポットでの撮影画像を受信すると、現在位置で撮影された撮影画像と推奨スポットで撮影された撮影画像とを比較対象の画像として、それらを並列させた状態で案内画面に表示させる。
【００３９】
次に、本実施形態における撮影案内システムを構成する携帯電話機１及びサーバ装置３の動作概念を図４〜図７に示すフローチャートを参照して説明する。ここで、これらのフローチャートに記述されている各機能は、読み取り可能なプログラムコードの形態で格納されており、このプログラムコードにしたがった動作が逐次実行される。また、ネットワークなどの伝送媒体を介して伝送されてきた上述のプログラムコードに従った動作を逐次実行することもできる。すなわち、記録媒体のほかに、伝送媒体を介して外部供給されたプログラム／データを利用して本実施形態特有の動作を実行することもできる。
【００４０】
図４及び図５は、撮影案内システムを構成する携帯電話機１側の全体動作の概要を示したメインフローチャートである。図７は、撮影案内システムを構成するサーバ装置３側の全体動作の概要を示したフローチャートである。
先ず、携帯電話機１側において、その制御部１１は、電源を投入する電源オン操作が行われると、所定の待受画像を読み出して表示させたり、最寄り基地局（図示省略）との間で通信を行って位置登録をしたりする待ち受け状態となる（図４のステップＡ１）。この状態において、電話着信を検出した場合に（ステップＡ２でＹＥＳ）、回線接続させるオフフック操作が行われると（ステップＡ３でＹＥＳ）、その操作に応答して、通話可能状態とする通話処理に移る（ステップＡ４）。そして、この通話状態において、オンフック操作が行われると（ステップＡ５でＹＥＳ）、その操作に応答して、通話を切断する終話処理を行った後（ステップＡ６）、上述のステップＡ２に戻る。
【００４１】
また、通常撮影（上述の推奨スポット案内を伴う撮影以外の撮影）を指示する撮影操作（シャッタ操作）が行われたときには（ステップＡ７でＹＥＳ）、ズーム値などの各種の撮影パラメータを撮像部１８に設定する撮影制御処理を行うと共に（ステップＡ８）、撮像部１８に対して撮影開始を指示して静止画撮影を実行させた後（ステップＡ９）、その撮影画像を記憶部１３の画像フォルダＰＦに記録保存させる（ステップＡ１０）。
【００４２】
また、通常撮影が実行されず（図４のステップＡ７でＮＯ）、ガイド撮影（上述の推奨スポット案内を伴う撮影）の実行を指示するガイド撮影操作が行われたときには（図５のステップＡ１１でＹＥＳ）、ズーム値などの各種の撮影パラメータを撮像部１８に設定する撮影制御処理を行うと共に（ステップＡ１２）、撮像部１８に対して撮影開始を指示して現在位置での静止画撮影を実行させた後（ステップＡ１３）、その撮影画像を記憶部１３のワーク域（図示省略）に一時保存させる（ステップＡ１４）。そして、位置取得部１９から現在位置を今回の撮影位置として取得した後（ステップＡ１５）、この現在位置（撮影位置）を含む情報をサーバ装置３に送信することにより現在位置の近隣に推奨スポットが存在しているか否かの問い合わせを行う（ステップＡ１６）。
【００４３】
一方、サーバ装置３側において、携帯電話機１から現在位置（撮影位置）を含む推奨スポットの問い合わせを受信したときには（図７のステップＣ１でＹＥＳ）、その制御部３１は、受信した現在位置（撮影位置）に基づいて撮影情報データベースＰＢを検索する（ステップＣ２）。そして、受信した現在位置と撮影情報データベースＰＢ内の各「撮影スポット」とを比較することにより、その現在位置の近隣に推奨の「撮影スポット」が存在しているか否かを判別するが（ステップＣ３）、その際、例えば、現在位置から半径１ｋｍ以内を近隣範囲として「撮影スポット」が存在しているか否かの判別を行う。
【００４４】
ここで、近隣範囲は、歩行の場合を例示したが、ユーザが自動車などの交通機関を利用している場合もあるので、歩行用の近隣範囲（例えば、半径１ｋｍ以内）と交通機関利用の近隣範囲（例えば、半径５ｋｍ以内）の両方で「撮影スポット」を検索するようにしてもよく、また、ユーザからの指示に応じて歩行用の近隣範囲で検索を行うか、交通機関利用の近隣範囲で検索を行うかを選択可能としてもよい。その結果、現在位置の近隣に推奨スポットが存在していないと判別された場合には（ステップＣ３でＮＯ）、現在位置の近隣に推奨スポットが存在していない情報としてその旨のメッセージを問い合わせ元の携帯電話機１に送信するが（ステップＣ４）、現在位置の近隣に推奨スポットが存在していれば（ステップＣ３でＹＥＳ）、推奨スポットが存在している情報として、その推奨スポットを検索結果として問い合わせ元の携帯電話機１に送信する（ステップＣ５）。
【００４５】
携帯電話機１側では、サーバ装置３からの問い合わせ結果を受信すると、その問い合わせ結果は現在位置の近隣に推奨スポットが存在している情報であるか否かを判別する（図５のステップＡ１７）。ここで、問い合わせ結果が、推奨スポットが存在していないことを示す情報であれば（ステップＡ１７でＮＯ）、その旨のメッセージを表示部１５に案内表示させた後（ステップＡ１８）、次のステップＡ２２に移り、記憶部１３のワーク域に一時保存させておいた現在位置の撮影画像を読み出して画像フォルダＰＦに正式な画像として記録保存させる。そして、この現在位置で撮影された撮影画像を、その現在位置と共にサーバ装置３に対して送信すると共に（ステップＡ２３）、記憶部１３のワーク域に一時保存させておいた現在位置の撮影画像を削除した後（ステップＡ２４）、図４のステップＡ１に戻る。
【００４６】
また、サーバ装置３からの問い合わせ結果が、推奨スポットが存在していることを示す情報であれば（ステップＡ１７でＹＥＳ）、この推奨スポットは、上述の現在位置（撮影位置）から所定の範囲内であるかを調べる（ステップＡ１９）。ここで、所定の範囲内とは、例えば、現在位置から半径３００ｍなどの値で、サーバ装置３側での近隣範囲（例えば、半径１ｋｍ以内）とは別個に携帯電話機１側でユーザ操作により任意に設定された値であり、所定の範囲内≦近隣範囲の関係にある。すなわち、サーバ装置３側において現在位置（撮影位置）の近隣に推奨の撮影スポットが存在していると判別された場合に、携帯電話機１側ではその中から更に撮影スポットを絞り込むために、その各推奨スポットは、現在位置（撮影位置）から所定の範囲内であるか否かを判別する。
【００４７】
ここで、携帯電話機１側において、サーバ装置３からの推奨スポットが所定の範囲内でなければ（ステップＡ１９でＮＯ）、上述のステップＡ１８に移り、推奨スポットが存在していない旨のメッセージを表示部１５に案内表示させる。その後、上述のステップＡ２２に移り、現在位置の撮影画像を画像フォルダＰＦに正式な画像として記録保存させる。そして、サーバ装置３への画像送信（ステップＡ２３）、一時保存画像の削除を行った後（ステップＡ２４）、図４のステップＡ１に戻る。
【００４８】
また、推奨スポットが所定の範囲内であれば（ステップＡ１９でＹＥＳ）、現在位置（撮影位置）と推奨スポットとは一致するか否かを調べ（ステップＡ２０）、両方の一致を検出したときには（ステップＡ２０でＹＥＳ）、現在位置は推奨スポットであることを示すメッセージを表示させた後（ステップＡ２１）、次のステップＡ２２に移り、現在位置の撮影画像を画像フォルダＰＦに正式な画像として記録保存させる。そして、サーバ装置３への画像送信（ステップＡ２３）、一時保存画像の削除を行った後（ステップＡ２４）、図４のステップＡ１に戻る。
【００４９】
また、推奨スポットが所定の範囲内ではあるが（ステップＡ１９でＹＥＳ）、現在位置が推奨スポットに一致していなければ（ステップＡ２０でＮＯ）、サーバ装置３に対してその推奨スポットで撮影された撮影画像の送信を要求し、それに応答してサーバ装置３から送信される当該推奨スポットで撮影された撮影画像を受信取得する（ステップＡ２５）。そして、記憶部１３のワーク域に一時保存させておいた現在位置の撮影画像を読み出し、推奨スポットで撮影された撮影画像と、現在位置で撮影された撮影画像とを比較対象の画像として、図３に示したように案内画面内に並列表示させる（ステップＡ２６）。
【００５０】
ここで、図３に示す案内画面内に配設されている選択ボタンＢＴ１、ＢＴ２のいずれかが操作されることにより現在位置で撮影された撮影画像がユーザ選択されたのか、推奨スポットで撮影された撮影画像がユーザ選択されたのかを調べる（ステップＡ２７）。いま、現在位置で撮影された撮影画像がユーザ選択されたときには（ステップＡ２７でＮＯ）、次のステップＡ２２に移り、現在位置の撮影画像を画像フォルダＰＦに記録保存させる。そして、サーバ装置３への画像送信（ステップＡ２３）、一時保存画像の削除を行った後（ステップＡ２４）、図４のステップＡ１に戻る。また、推奨スポットで撮影された撮影画像がユーザ選択されたときには（ステップＡ２７でＹＥＳ）、後述する推奨スポット撮影処理を実行した後（ステップＡ２８）、図４のステップＡ１に戻る。
なお、その他の操作が行われたときには（ステップＡ２９でＹＥＳ）、操作に応じた処理として、例えば、上述したステップＡ１９で示した所定の範囲の設定を指示する操作に応じて、その設定処理を行ったり、ズーム調整操作に応じてズーム調整処理などを行ったりした後（ステップＡ３０）、図４のステップＡ１に戻る。
【００５１】
図６は、推奨スポット撮影処理（図５のステップＡ２８）を詳述するためのフローチャートである。
先ず、制御部１１は、経路案内機能（ナビゲーション機能）を起動させて（図６のステップＢ１）、現在位置より推奨スポット（目的地点）までの経路地図を取得した後（ステップＢ２）、この地図上に進行方向を表示させたり、右左折を音声出力させたりしながら経路案内を行う（ステップＢ３）。この経路案内中では、現在位置と推奨スポット（目的地点）と比較し、推奨スポットに到着したかを調べ（ステップＢ４）、推奨スポットに到着したときには（ステップＢ４でＹＥＳ）、推奨スポットで撮影すべきことをメッセージ表示及び音声出力により案内出力した後（ステップＢ５）、所定時間内に撮影操作が行われたかを調べる（ステップＢ６）。
【００５２】
いま、撮影案内を行ってから所定時間が経過しても撮影操作が行われなければ（ステップＢ６でＮＯ）、図５のステップＡ１４で一時保存した撮影画像を削除した後（ステップＢ１１）、図４のステップＡ１に戻るが、撮影操作が行われたときには（ステップＢ６でＹＥＳ）、ズーム値などの各種の撮影パラメータを撮像部１８に設定する撮影制御処理を行って（ステップＢ７）、撮像部１８に撮影を実行させた後（ステップＢ８）、推奨スポットで撮影された撮影画像を記憶部１３の画像フォルダＰＦに記録保存させる（ステップＢ９）。そして、推奨スポットで撮影された撮影画像を推奨スポットと共にサーバ装置３に対して送信すると共に（ステップＢ１０）、一時保存させておいた現在位置の撮影画像を削除した後（ステップＢ１１）、図４のステップＡ１に戻る。
【００５３】
他方、サーバ装置３において、携帯電話機１側から現在位置で撮影された撮影画像を受信したときには（図７のステップＣ６でＹＥＳ）、その現在位置に基づいて撮影情報データベースＰＢを検索し（ステップＣ７）、現在位置に一致する推奨スポットとして「撮影スポット」が登録されているかを調べる（ステップＣ８）。ここで、現在位置に一致する「推奨スポット」が登録されていなければ（ステップＣ８でＮＯ）、今回受信した現在位置での撮影画像を撮影情報データベースＰＢに新規情報として新規登録する（ステップＣ９）。
【００５４】
また、サーバ装置３側において、現在位置に一致する推奨スポットとして「撮影スポット」が登録されていれば（ステップＣ８でＹＥＳ）、それに対応する「評価点」に“１”を加算してその値を更新する（ステップＣ１０）。また、携帯電話機１側から推奨スポットで撮影された撮影画像の送信要求を受信したときには（ステップＣ１１でＹＥＳ）、その推奨スポットに基づいて撮影情報データベースＰＢを検索し、該当スポットで撮影された撮影画像を要求元の携帯電話機１に対して送信する（ステップＣ１２）。また、携帯電話機１側から推奨スポットで撮影された撮影画像を受信したときには（ステップＣ１３でＹＥＳ）、それをベストスポットでの最新の撮影画像として、撮影情報データベースＰＢに追加登録すると共に（ステップＣ１４）、それに対応する「評価点」に“１”を加算してその値を更新する（ステップＣ１５）。
【００５５】
以上のように、本実施形態においてカメラ機能付きの携帯電話機（撮像装置）１は、撮影が実行した場合に、その現在位置の近隣に推奨スポットが存在しているか否かの問い合わせをサーバ装置（撮影案内装置）３に対して行い、それに応答してサーバ装置３から問い合わせ結果を受信した場合に、その問い合わせ結果に基づいて、推奨スポットに関する情報を案内出力するようにしたので、ユーザに対して特別な操作を要求することなく、現在位置の近隣に存在している推奨スポットに関する情報を適切に案内することができる。すなわち、観光地などにおいてユーザは、推奨スポットを常に意識しなくてもよく、ユーザが撮影を行ったということは、現在の位置が名所などの好適な撮影スポットである可能性が高くなるため、その撮影に連動して推奨スポットを案内することにより、ユーザに負担をかけることなく、推奨スポットを案内することが可能となり、実用性に富んだものとなる。
【００５６】
携帯電話機１は、サーバ装置３側への問い合わせに応答してサーバ装置３からその問い合わせ結果を受信した場合に、現在位置から所定の範囲内に推奨スポットが存在しているか否かを判別し、所定の範囲内に推奨スポットであれば、その推奨スポットに関する情報を案内するようにしたので、現在位置から所定の範囲内に推奨スポットが存在しているか否かを携帯電話機１側で判別することができる。この場合、サーバ装置３側においては携帯電話機１から送信された現在位置（撮影位置）に基づいてその近隣に推奨スポットが存在しているかを判別し、その近隣に推奨スポットが存在していれば、携帯電話機１側ではその中から推奨スポットを更に絞り込むことができる。
【００５７】
携帯電話機１側において現在位置から推奨スポットが存在しているか否かを判別するための所定の範囲を、ユーザ操作により任意に設定するようにしたので、ユーザは歩行で移動しているのか、自動車、自転車、電車などの交通手段で移動しているのかによって、範囲の設定を行うことができ、利用する交通手段や体力に応じて適切な範囲を設定することができる。
【００５８】
携帯電話機１側において、撮影が行われた際に位置取得部１９により取得した現在位置を含む情報をサーバ装置３側に送信することにより現在位置の近隣に推奨スポットが存在しているかを問い合わせるようにしたので、携帯電話機１側では撮影に連動して現在位置を送信すればよく、ユーザに特別な操作を要求することなく、推奨スポットを問い合わせることが可能となる。
【００５９】
携帯電話機１は、サーバ装置３から問い合わせ結果として、推奨スポットで撮影された撮影画像を受信した場合には、その推奨スポットで撮影された撮影画像を案内表示するようにしたので、推奨スポットではどのような撮影が可能かを具体的に知ることができる。
【００６０】
携帯電話機１は、推奨スポットで撮影された撮影画像を案内表示するほか、現在位置で撮影された撮影画像を比較対象の画像として案内表示するようにしたので、どちらの画像の方がユーザにとって好ましいかを見比べることができ、便利なものとなる。
【００６１】
携帯電話機１は、推奨スポットで撮影された撮影画像と現在位置で撮影された撮影画像のいずれかを選択するようにしたので、どちらの画像を選択したのかに応じて、その選択画像対応の処理が可能となる。
【００６２】
携帯電話機１は、推奨スポットで撮影された撮影画像が選択された場合に、現在位置から推奨スポットまでの経路を案内出力するようにしたので、見知らない土地でも推奨スポットまで出向いて撮影することができる。
【００６３】
携帯電話機１は、経路が案内された推奨スポットで撮影された撮影画像をサーバ装置３に送信するようにしたので、推奨スポットでの最新の撮影画像をサーバ装置３に提供したり、推奨スポットのランク付け（評価値）などに利用したりすることができる。
【００６４】
携帯電話機１は、現在位置で撮影された撮影画像が選択された場合に、その撮影画像をその撮影位置である現在位置と共にサーバ装置３に送信するようにしたので、サーバ装置３側に新たな推奨スポットを追加登録することができ、ユーザの撮影に応じて推奨スポットを増やすことができる。
【００６５】
携帯電話機１は、推奨スポットと現在位置とが一致した際に、その旨を案内出力するようにしたので、現在位置が推奨スポットであることを知ることができる。
【００６６】
携帯電話機１は、推奨スポットと現在位置とが一致した際に、現在位置で撮影された撮影画像をその現在位置と共にサーバ装置３に送信するようにしたので、推奨スポットからの最新の撮影画像をサーバ装置３に提供したり、推奨スポットのランク付け（評価値）などに利用したりすることができる。
【００６７】
撮影案内システムは、携帯電話機１により撮影が実行された場合に、その撮影位置として現在位置を取得し、この現在位置の近隣に推奨スポットが存在している場合に、その推奨スポットに関する情報を案内情報として携帯電話機１に送信するようにしたので、ユーザに対して特別な操作を要求することなく、現在位置の近隣に存在している推奨スポットに関する情報を適切に案内することができる。すなわち、観光地などにおいてユーザは、推奨スポットを常に意識しなくてもよく、ユーザが撮影を行ったということは、現在位置が名所などの好適な推奨スポットである可能性が高いために、その撮影に連動して推奨スポットを案内することにより、ユーザに負担をかけることなく、推奨スポットを案内することが可能となって、実用性に富んだものとなる。
【００６８】
撮影案内システムにおいて、サーバ装置３は、推奨スポットが存在していると判別した場合に、その推奨スポットに関する情報としてその推奨スポットで撮影された撮影画像を送信し、携帯電話機１は、推奨スポットで撮影された撮影画像を受信して案内表示するほか、現在位置で撮影された撮影画像を比較対象の画像として案内表示するようにしたので、どちらの画像の方がユーザにとって好ましいかを見比べることができ、便利なものとなる。
【００６９】
撮影案内システムにおいて、携帯電話機１は、推奨スポットで撮影された撮影画像と、現在位置で撮影された撮影画像を比較対象の画像として案内表示している状態において、現在位置で撮影された撮影画像が選択された場合には、その撮影画像をサーバ装置３に送信し、サーバ装置３は、この現在位置で撮影された撮影画像が、撮影情報データベースＰＢに登録されていなければ、この撮影画像を新規登録するようにしたので、サーバ装置３側に新たな推奨スポットを追加登録することができ、ユーザの撮影に応じて推奨スポットを増やすことができる。
【００７０】
撮影案内システムにおいて、携帯電話機１は、推奨スポットで撮影された撮影画像と、現在位置で撮影された撮影画像を比較対象の画像として案内表示している状態において、推奨スポットで撮影された撮影画像が選択された場合には、それが選択されたことを示す情報をサーバ装置３に送信し、サーバ装置３は、推奨スポットが選択されたことを示す情報を受信した場合に、その推奨スポットで撮影された撮影画像に対する評価値を更新するようにしたので、推奨スポットのランク付けなどに利用することができる。
【００７１】
なお、上述した実施形態においては、携帯電話機１により撮影が実行されたか否かの判別を携帯電話機１側で行うようにしたが、サーバ装置３側で行うようにしてもよい。また、携帯電話機１により撮影が実行された場合に、携帯電話機１の制御部１１が位置取得部１９から撮影位置として現在位置を取得するようにしたが、携帯電話機１側で現在位置を取得する場合に限らず、サーバ装置３側で携帯電話機１の現在位置を取得するようにしてもよい。
【００７２】
上述した実施形態においては、携帯電話機１は、サーバ装置３側への問い合わせに応答してサーバ装置３からその問い合わせ結果を受信した場合に、現在位置から所定の範囲内に推奨スポットが存在しているか否かを判別するようにしたが、携帯電話機１毎に、予め所定の範囲をサーバ装置３側に登録しておき、携帯電話機１からの問い合わせに応答してサーバ装置３側では、その携帯電話機１に対応する所定の範囲を読み出して、現在位置から所定の範囲内に推奨スポットが存在しているか否かを判別するようにしてもよい。
【００７３】
上述した実施形態においては、携帯電話機１は、サーバ装置３から推奨スポットで撮影された撮影画像を受信した場合には、この推奨スポットで撮影された撮影画像と、現在位置で撮影された撮影画像とを比較対象の画像として案内表示するようにしたが、比較対象の画像を１対１の関係で表示する場合に限らず、推奨スポットで撮影された撮影画像が複数存在している場合には、その複数の画像を順次サイクリックに表示させてもよく、また、１対Ｎ（Ｎ＝２以上の整数）の関係で並列的に表示させてもよい。
【００７４】
上述した実施形態において携帯電話機１は、比較対象の画像の中から推奨スポットで撮影された撮影画像が選択された場合に、この推奨スポットで撮影された撮影画像をサーバ装置３側に送信するようにしたが、推奨スポットで撮影された撮影画像が選択されたことを示す情報をサーバ装置３側に送信するようにしてもよい。
【００７５】
また、観光地などにおいて事前にユーザ自身や家族などを撮影した撮影画像をサーバ装置３側に送信して登録しておき、サーバ装置３側では、この事前登録されている画像（家族などの写真）を推奨スポットで撮影された撮影画像内に合成し、この合成画像（合成写真）を携帯電話機１側に送信するようにしてもよい。また、このような画像合成機能を携帯電話機１側に設け、推奨スポットで撮影された撮影画像をサーバ装置３から受信した際に、携帯電話機１は、現在位置で撮影した家族などの画像を推奨スポットで撮影された撮影画像内に合成して、比較対象の画像として案内表示するようにしてよい。
【００７６】
上述した実施形態においてサーバ装置３は、無線通信網２を介して接続されている通信事業者側のサーバ装置を例示したが、インターネット（図示省略）を介して接続されているサービス会社側のサーバ装置であってもよく、また、この撮影案内サービスは、有償、無償を問わない。
【００７７】
また、上述した実施形態においては、撮像装置としてカメラ機能付きの携帯電話機を例示したが、これに限らず、例えば、カメラ機能付きのＰＤＡや音楽プレイヤーなどのほか、勿論、デジタルカメラ自体であってもよい。
【００７８】
なお、上述した実施形態において示した“装置”や“機”とは、機能別に複数の筐体に分離されていてもよく、単一の筐体に限らない。また、上述したフローチャートに記述した各ステップは、時系列的な処理に限らず、複数のステップを並列的に処理したり、別個独立して処理したりするようにしてもよい。
【符号の説明】
【００７９】
１  携帯電話機
２  無線通信網
３  サーバ装置
１１、３１  制御部
１３、３２  記憶部
１４、３４  操作部
１５  表示部
１６  無線通信部
１８  撮像部
３３  通信部
ＰＢ  撮影情報データベース
ＰＦ  画像フォルダ
【図１】
0005511001.tif 000002
【図２】
0005511001.tif 000003
【図３】
0005511001.tif 000004
【図４】
0005511001.tif 000005
【図５】
0005511001.tif 000006
【図６】
0005511001.tif 000007
【図７】
0005511001.tif 000008